(57)【特許請求の範囲】
【請求項１】
直方体形状の部屋ユニットの平面視で互いに隣接する長辺側面と短辺側面のそれぞれに、上面が前記部屋ユニットとの接続部側から下方に傾斜する平面視矩形状の傾斜部屋ユニットを接続し、部屋ユニットの上には屋根ユニットを搭載し、傾斜部屋ユニットの上には前記屋根ユニットの屋根面から葺き下ろす屋根パネルを搭載し、２つの傾斜部屋ユニットによって入隅部が形成されてなることを特徴とするユニット建物。
【請求項２】
前記屋根ユニットの屋根面が寄棟屋根形式になされ、屋根パネルの屋根面を屋根ユニットの屋根面から同一面上にて葺き下ろすことを特徴とする請求項１記載のユニット建物。
【請求項３】
上面の一部が水平部で、上面の他部が水平部から下方に向かって傾斜する傾斜部とされた平面視矩形状の部屋ユニットの前記水平部側面と接する領域に、上面が前記部屋ユニットとの接続部から下方に傾斜する平面視矩形状の傾斜部屋ユニットを接続し、部屋ユニットの上には屋根ユニットを搭載し、傾斜部屋ユニットの上には前記屋根ユニットの屋根面から葺き下ろす屋根パネルを搭載し、部屋ユニットと傾斜部屋ユニットとによって入隅部が形成されてなることを特徴とするユニット建物。
【請求項４】
前記屋根ユニットの屋根面が、部屋ユニットの前記傾斜部で葺き下ろす寄棟屋根形式になされ、屋根パネルの屋根面を屋根ユニットの屋根面から同一面上にて葺き下ろすことを特徴とする請求項３記載のユニット建物。
【請求項５】
入隅部が形成された部屋ユニットの上に屋根ユニットを搭載してなるユニット建物であって、
前記部屋ユニットが、床パネルの側縁に壁パネルが立設されてなり、
前記床パネルが、四角形状の第１床部と、第１床部の一つの角部を挟むそれぞれの辺を水平方向に突出させて延設した第２、第３床部とからなり、第２、第３床部の前記角部を挟んで直交する二辺に立設された壁パネルにより入隅部が形成され、
前記部屋ユニットの上面の、第１床部に対応する部分が水平部で、第２、第３床部に対応する部分が、いずれも、傾斜部とされ、
前記屋根ユニットが、水平部の上に搭載される第１屋根部と、それぞれの傾斜部の上に搭載され第１屋根部の屋根面から葺き下ろす第２、第３屋根部とからなることを特徴とするユニット建物。
【請求項６】
前記屋根ユニットの第１屋根部の屋根面が、寄棟屋根形式になされ、第２、第３の屋根部の屋根面を第１屋根部の屋根面から同一面上にて葺き下ろすことを特徴とする請求項５記載のユニット建物。
【発明の詳細な説明】
【０００１】
【発明の属する技術分野】
本発明は、ユニット建物に関する。
【０００２】
【従来の技術】
従来のユニット建物として、特開昭６０−６５８４７号公報に記載のものは、直方体形状の部屋ユニットに、上部が下方に傾斜した傾斜部屋ユニットが接続され、部屋ユニットの上に搭載された屋根ユニットの屋根面が、隣接する傾斜部屋ユニットの上部の一端まで延設され、傾斜部屋ユニットの上には前記屋根ユニットに連続する屋根パネルが搭載されている。
【０００３】
【発明が解決しようとする課題】
しかしながら、上記公報記載の従来のユニット建物においては、部屋ユニットの一側面（妻面または桁面）のみに、上部が傾斜した傾斜部屋ユニットを接続したものであるから、敷地の角部が北側に位置するがごとき敷地に上記ユニット建物を配置すると、建築基準法の北側斜線制限に対応することができないという問題がある。
一方、寄棟屋根形式の通常の建物は、建物の角部を挟む両側の屋根面が傾斜しているので、一般に北側斜線制限に対応し易いが、敷地が狭小なため、隅切りされた角敷地一杯に建物を配置しようとすると、隅切りされた角敷地から屋根の庇部等の建築物の一部がはみ出し、建築基準法の道路に関する制限に対応できなくなるという問題がある。
【０００４】
本発明は、このような従来術における問題点に着目してなされたものであり、その目的とするところは、狭小な敷地であっても、配置に制約されることなく北側斜線制限や道路に関する制限に対応することができるユニット建物を提供するにある。
【０００５】
【課題を解決するための手段】
上記目的を達成するために、請求項１記載の発明は、ユニット建物であって、直方体形状の部屋ユニットの平面視で互いに隣接する長辺側面と短辺側面のそれぞれに、上面が前記部屋ユニットとの接続部側から下方に傾斜する平面視矩形状の傾斜部屋ユニットを接続し、部屋ユニットの上には屋根ユニットを搭載し、傾斜部屋ユニットの上には前記屋根ユニットの屋根面から葺き下ろす屋根パネルを搭載し、２つの傾斜部屋ユニットによって入隅部が形成されてなることを特徴とする。
【０００６】
請求項２記載の発明は、請求項１記載のユニット建物において、前記屋根ユニットの屋根面が寄棟屋根形式になされ、屋根パネルの屋根面を屋根ユニットの屋根面から同一面上にて葺き下ろすことを特徴とする。
【０００７】
請求項３記載の発明は、ユニット建物であって、上面の一部が水平部で、上面の他部が水平部から下方に向かって傾斜する傾斜部とされた平面視矩形状の部屋ユニットの前記水平部側面と接する領域に、上面が前記部屋ユニットとの接続部から下方に傾斜する平面視矩形状の傾斜部屋ユニットを接続し、部屋ユニットの上には屋根ユニットを搭載し、傾斜部屋ユニットの上には前記屋根ユニットの屋根面から葺き下ろす屋根パネルを搭載し、部屋ユニットと傾斜部屋ユニットとによって入隅部が形成されてなることを特徴とする。
【０００８】
請求項４記載の発明は、請求項３記載のユニット建物において、前記屋根ユニットの屋根面が、部屋ユニットの前記傾斜部で葺き下ろす寄棟屋根形式になされ、屋根パネルの屋根面を屋根ユニットの屋根面から同一面上にて葺き下ろすことを特徴とする。
【０００９】
請求項５記載の発明は、入隅部が形成された部屋ユニットの上に屋根ユニットを搭載してなるユニット建物であって、
前記部屋ユニットが、床パネルの側縁に壁パネルが立設されてなり、
前記床パネルが、四角形状の第１床部と、第１床部の一つの角部を挟むそれぞれの辺を水平方向に突出させて延設した第２、第３床部とからなり、第２、第３床部の前記角部を挟んで直交する二辺に立設された壁パネルにより入隅部が形成され、
前記部屋ユニットの上面の、第１床部に対応する部分が水平部で、第２、第３床部に対応する部分が、いずれも、傾斜部とされ、
前記屋根ユニットが、水平部の上に搭載される第１屋根部と、それぞれの傾斜部の上に搭載され第１屋根部の屋根面から葺き下ろす第２、第３屋根部とからなることを特徴とする。
【００１０】
請求項６記載の発明は、請求項５記載のユニット建物において、前記屋根ユニットの第１屋根部の屋根面が、寄棟屋根形式になされ、第２、第３の屋根部の屋根面を第１屋根部の屋根面から同一面上にて葺き下ろすことを特徴とする。
【００１１】
（作用）
請求項１〜４記載の本発明のユニット建物によると、２つの傾斜部屋ユニットによって形成された入隅部を北側に向けても、あるいは、傾斜部屋ユニットが接続されたいずれかの側を北側に向けても、建築基準法の北側斜線制限に対応できる。
また、敷地が狭小なため、隅切りされた角敷地一杯にユニット建物を配置しようとする場合、角敷地の隅切りに２つの傾斜部屋ユニットによって形成された入隅部を配置すれば、隅切りからはみ出すことがなく、建築基準法の道路に関する制限に対応できる。
従って、配置に制約されることなく北側斜線制限に対応できると同時に、角敷地一杯に配置しても、道路に関する制限に対応することができる。
【００１２】
請求項５、６に記載の本発明のユニット建物によると、部屋ユニットの入隅部を北側に向けても、あるいは、入隅部に隣接する部屋ユニットのいずれかの側を北側に向けても、建築基準法の北側斜線制限に対応できる。
また、敷地が狭小なため、隅切りされた角敷地一杯にユニット建物を配置しようとする場合、角敷地の隅切りに部屋ユニットの入隅部を配置すれば、隅切りからはみ出すことがなく、建築基準法の道路に関する制限に対応できる。
従って、配置に制約されることなく北側斜線制限に対応できると同時に、角敷地一杯に配置しても、道路に関する制限に対応することができる。
【００１３】
【発明の実施の形態】
次に、本発明の実施の形態を図面を参照しながら説明する。
図１〜図５は本発明の一実施例であって、図１（イ）図は建物ユニットの斜視図、（ロ）図は（イ）図のユニット建物を分解して示す斜視図、図２は図１に示す部屋ユニットの斜視図、図３は傾斜部屋ユニットであって、（イ）図は斜視図、（ロ）図は側面図、図４は図１に示すユニット建物の（イ）図は平面図、（ロ）図は正面図、（ハ）図は左側面図、図５の（イ）〜（ニ）図は図１に示すユニット建物の配置図である。
【００１４】
本実施例のユニット建物１は、図１に示すように、３つの部屋ユニット２、３、４と、３つの傾斜部屋ユニット５、６、７と、３つの屋根ユニット８、９、１０と、３つの屋根パネル１１、１２、１３とを備えている。
【００１５】
（部屋ユニット）
上記部屋ユニット２、３、４は、いずれも、直方体形状になされている。
部屋ユニット２は、図２（イ）図に示すように、矩形状の床パネル２１と、この床パネル２１の三方周縁に立設された壁パネル２２、２３、２３とから、平面視コ字形状に構成されている。
部屋ユニット３は、図２（ロ）図に示すように、矩形状の床パネル３１と、この床パネル３１の対向する二辺に立設された壁パネル３２、３２とから、平面視ニ字形状に構成されている。
部屋ユニット４は、図２（ハ）図に示すように、矩形状の床パネル４１と、この床パネル４１の三方周縁に立設された壁パネル４２、４３、４３とから、平面視コ字形状に構成されている。
上記部屋ユニット２、３、４は、部屋ユニット３を中央に配置し、この部屋ユニット３の長辺側それぞれに、部屋ユニット２と部屋ユニット４の長辺側を突き合わせている。
【００１６】
（傾斜部屋ユニット）
上記傾斜部屋ユニット５、６、７は、いずれも、平面視矩形状になされている。
傾斜部屋ユニット５は、前記部屋ユニット２の長辺側に接続されるものであって、図３（イ）図に示すように、矩形状の床パネル５１と、この床パネルの四方周縁に立設された壁パネル５１、５２、５４、５４とから構成されている。
上記傾斜部屋ユニット５の上面は、前記部屋ユニット２との接続部から下方に傾斜していて、後述する屋根パネル１１の搭載面となる。
すなわち、壁パネル５２は、前記部屋ユニット２の壁パネル２２と同一高さになされているが、この壁パネル５２の両側に立設されている壁パネル５４の上辺は傾斜し、壁パネル５２と対向する壁パネル５３の高さは、壁パネル５２の高さより低くなっている（図３（ロ）図参照）。
【００１７】
傾斜部屋ユニット６は、前記部屋ユニット２、３の短辺側に跨がって接続されるものであって、上面が部屋ユニット２、３との接続部側から下方に傾斜している。この傾斜部屋ユニット６は、前記傾斜部屋ユニット５と略同じ形状である。また、傾斜部屋ユニット７は、前記部屋ユニット４の短辺側に接続されるものであって、上面が部屋ユニット４との接続部側から下方に傾斜している。
部屋ユニット２、３、４と傾斜部屋ユニット６、７との間には、壁パネルによって間仕切りされているので、この間仕切りとなる壁パネルに適宜開口部を設ける。
【００１８】
（屋根ユニット）
屋根ユニット８、９、１０は、それぞれ、部屋ユニット２、３、４の上面に搭載されるものであって、これら屋根ユニット８、９、１０によって形成される屋根面は、寄棟屋根形式になされている（図１（ロ）図参照）。
【００１９】
（屋根パネル）
屋根パネル１１、１２、１３は、それぞれ、傾斜部屋ユニット５、６、７の上面に搭載されるものであって、いずれも、平板状になされている。
傾斜部屋ユニット５の上に搭載されている屋根パネル１１の屋根面は、図４（ロ）図に示すように、屋根ユニット８の屋根面から同一面上にて葺き下ろしている。。
また、傾斜部屋ユニット６７の上に搭載されている屋根パネル１２１３の屋根面は、図４（ハ）図に示すように、屋根ユニット８、９、１０の屋根面から同一面上にて葺き下ろしている。
【００２０】
（ユニット建物１の構築方法）
上記部屋ユニット２、３、４、傾斜部屋ユニット５、６、７、屋根ユニット８、９、１０、屋根パネル１１、１２、１３は、いずれも、工場生産されたものであって、これらを建築現場に輸送する。
そして、敷地内に予め施工された基礎（不図示）の上に、部屋ユニット２、３、４の長辺側を互いに突き合わせて設置固定し、部屋ユニット２の長辺側に傾斜部屋ユニット５を、部屋ユニット２、３、４の短辺側に傾斜部屋ユニット６、７を設置固定する。
【００２１】
ついで、部屋ユニット２、３、４の上に、それぞれ、屋根ユニット８、９、１０を搭載し、傾斜部屋ユニットの上に屋根パネル１１を搭載し、傾斜部屋ユニット６、７の上に、それぞれ、屋根パネル１２、１３を搭載する。
その際、２つの傾斜部屋ユニット５、６によって入隅部１４が形成され、この入隅部に上記屋根パネル１１、１２の短辺側端縁を突出させて、２つのけらばを形成する。
【００２２】
（実施例の作用）
実施例の作用は、図５を参照して説明する。
図５（イ）、（ロ）、（ハ）図における、Ｓは敷地、Ｋは敷地境界線、Ｎは北側を示している。図５（ニ）図におけるＲは道路、Ｒ１は角敷地の隅切りである。
本実施例のユニット建物１によると、２つの傾斜部屋ユニット５、６によって形成された入隅部１４を北側Ｎに向けても（図５（イ）図参照）、あるいは、傾斜部屋ユニット６、７が接続された側か、傾斜部屋ユニット５が接続された側のいずれかを北側Ｎに向けても（図５（ロ）、（ハ）図参照）、建築基準法の北側斜線制限に対応できる。
また、敷地Ｓが狭小なため、隅切りＲ１された角敷地Ｓ一杯にユニット建物１を配置しようとする場合、角敷地Ｓの隅切りＲ１に２つの傾斜部屋ユニット５、６が交差する入隅部１４を配置すれば、隅切りＲ１からはみ出すことがなく、建築基準法の道路に関する制限に対応できる（図５（ニ）図参照）。
従って、本実施例のユニット建物１は、配置に制約されることなく北側斜線制限に対応できると同時に、角敷地一杯に配置しても、道路に関する制限に対応することができる。
【００２３】
図６〜図８は、本発明の別の実施例であって、図６はユニット建物を分解して示す斜視図、図７は部屋ユニットの斜視図、図８は屋根ユニットの斜視図である。
本実施例において、前記実施例と同じものには同符号を付けて説明を省略する。
【００２４】
本実施例のユニット建物１Ａの外観形状は、前記実施例のユニット建物１と同一であるが、部屋ユニット２Ａ、３Ａ、４Ａと、屋根ユニット８Ａとが前記実施例と異なっている。
図７（イ）図に示すように、部屋ユニット２Ａの、屋根ユニット８Ａが搭載される上面Ａの一部が水平部Ａ１で、上面Ａの他部は水平部Ａ１から下方に向かって傾斜する傾斜部Ａ２とされている。
すなわち、部屋ユニット２Ａは、床パネル２１Ａと、この床パネル２１Ａの三方周縁に立設された壁パネル２２Ａ、２３Ａ、２４Ａとから構成されている。
床パネル２１Ａは、矩形状であり、床パネル２１Ａの長辺側に立設されている壁パネル２２Ａは、台形状であり、壁パネル２３Ａ、２４Ａは、矩形状であるが、高さが異なっている。
【００２５】
また、図７（ロ）図に示すように、部屋ユニット３Ａの屋根ユニット（不図示）が搭載される上面Ａの一部は水平部Ａ１であり、上面Ａの他部は水平部Ａ１から下方に向かって傾斜する傾斜部Ａ２とされている。なお、上記部屋ユニット３Ａの上面には、適宜不図示の天井梁を設けて搭載される屋根ユニットを支持する。
上記部屋ユニット３Ａは、床パネル３１Ａと、この床パネル３１Ａの対向する短辺側に立設された、それぞれ、高さの異なる壁パネル３３Ａ、３４Ａとから構成されている。
【００２６】
上記平面視矩形状の部屋ユニット２Ａの前記水平部Ａ１の側面と接する領域に、傾斜部屋ユニット５を接続している。
この傾斜部屋ユニット５の上面は、前記部屋ユニット２Ａとの接続部から下方に傾斜する平面視矩形状のものである。
【００２７】
そして、上記部屋ユニット２Ａの上には屋根ユニット８Ａを搭載し、部屋ユニット３Ａ、４Ａの上には不図示の屋根ユニットを搭載している。
上記屋根ユニット８Ａの屋根面は、不図示の屋根ユニットと接続構成されることで、寄棟屋根形式になされ、部屋ユニット２Ａの前記傾斜部Ａ２で、寄棟屋根の屋根面と同一面上で葺き下ろしている。
【００２８】
傾斜部屋ユニット５の上には、前記屋根ユニット８Ａの屋根面と同一面上で葺き下ろす屋根パネル１１を搭載し、部屋ユニット２Ａと傾斜部屋ユニット５とによって入隅部が形成される。
【００２９】
本実施例のユニット建物１Ａによると、前記実施例の作用に加えて、部屋ユニット２Ａ、３Ａ、４Ａ内における短辺平行の間仕切りがなくなるので、プランの自由度が向上する。
また、総ユニット数が減るので、施工工数も短縮できる。
【００３０】
図９〜図１３は、本発明の他の実施例であって、図９はユニット建物の斜視図、図１０は部屋ユニットと屋根ユニットとを分解した分解斜視図、図１１は部屋ユニットの斜視図、図１２（イ）図は部屋ユニットの平面図、（ロ）図は左側面図、（ハ）図は正面図、図１３は屋根ユニットの斜視図である。
【００３１】
本実施例のユニット建物１Ｂは、図９と図１０に示すように、入隅部１４が形成された部屋ユニット２Ｂの上に屋根ユニット８Ｂを搭載してなるものである。上記部屋ユニット２Ｂには、別タイプの部屋ユニット３Ｂ、４Ｂ、・・が隣接配置され、これら部屋ユニット３Ｂ、４Ｂ、・・の上に屋根ユニット９Ｂ、１０Ｂ、・・が搭載されている。
【００３２】
上記部屋ユニット２Ｂは、図１１に示すように、床パネル２１Ｂの側縁に壁パネル２２Ｂ、２３Ｂ、２４Ｂ、２５Ｂ、２６Ｂが立設されている。
上記床パネル２１Ｂは、図１２（イ）図に示すように、四角形状の第１床部Ｂ１と、第１床部Ｂ１の一つの角部を挟むそれぞれの辺を水平方向に突出させて延設した第２床部Ｂ２、第３床部Ｂ３とからなっている。
第２床部Ｂ２、第３床部Ｂ３の前記角部を挟んで直交する二辺に立設された壁パネル２４Ｂ、２５Ｂにより入隅部１４が形成されている。
【００３３】
上記図１１に示した建物ユニット２Ｂの上面の、第１床部Ｂ１に対応する部分が水平部Ｂ４で、第２床部Ｂ２、第３床部Ｂ３に対応する部分が、いずれも、傾斜部Ｂ５、Ｂ６とされている。
すなわち、壁パネル２２Ｂは、上辺の一部を傾斜辺とした台形状になされ、この壁パネル２２Ｂと直交する壁パネル２３Ｂは、壁パネル２２Ｂの水平な上辺より高さの低い矩形状になされている。
また、壁パネル２４Ｂと壁パネル２５Ｂは、いずれも、上辺が傾斜した四角形状になされ、壁パネル２６Ｂは、矩形状であるが、壁パネル２３Ｂと同様、高さが低くされている。
このように、上記壁パネル２５Ｂの上辺を傾斜させることで、傾斜部Ｂ５が形成され、壁パネル２２Ｂと壁パネル２４Ｂの上辺を傾斜させることで、傾斜部Ｂ６が形成されている。
【００３４】
前記部屋ユニット２Ｂの上に搭載される屋根ユニット８Ｂは、図１３に示すように、上記水平部Ｂ４の上に搭載される第１屋根部８１Ｂと、それぞれの傾斜部Ｂ２、Ｂ３の上に搭載され第１屋根部８１Ｂの屋根面から葺き下ろす第２屋根部８２Ｂ、第３屋根部８３Ｂとからなっている。
【００３５】
上記屋根ユニット８Ｂの第１屋根部８１Ｂの屋根面は、前記した図９に示すように、寄棟屋根形式になされている。
そして、第２屋根部８２Ｂと第３屋根部８３Ｂの屋根面を、第１屋根部８１Ｂの屋根面から同一面上にて葺き下ろすようにしている。
【００３６】
本実施例のユニット建物１Ｂによると、前記実施例の作用に加えて、部屋ユニット２Ｂ内における間仕切りがなくなるので、プランの自由度が向上する。
また、総ユニット数がさらに減るので、施工工数も一層短縮できる。
【００３７】
以上、本発明の実施の形態を上記実施例に基づいて説明してきたが、本発明は上記実施例に限定されるものでなく、本発明の要旨を変更しない範囲の設計変更があっても、本発明に含まれる。
例えば、ユニット建物１、１Ａ、１Ｂは、いずれも、１階建てであるが、複数階であってもよい。
また、ユニット建物１を構成する部屋ユニット２、３、４、傾斜部屋ユニット５、６、７は、いずれも、壁式工法のものであるが、柱、梁から組立られる軸組工法のものでもよい。ユニット建物１Ａ、１Ｂについても、同様である。
【００３８】
【発明の効果】
請求項１と２記載の本発明によると、配置に制約されることなく北側斜線制限に対応できると同時に、角敷地一杯に配置しても、道路に関する制限に対応することができる。
【００３９】
請求項３〜６記載の本発明によると、請求項１と２記載の発明の効果に加えて、さらに、プランの自由度が向上し、施工工数も短縮できる。
【図面の簡単な説明】
【図１】本発明の一実施例であって、（イ）図は建物ユニットの斜視図、（ロ）図は（イ）図のユニット建物を分解して示す斜視図。
【図２】図１に示す部屋ユニットの斜視図。
【図３】傾斜部屋ユニットであって、（イ）図は斜視図、（ロ）図は側面図。
【図４】図１に示すユニット建物の（イ）図は平面図、（ロ）図は正面図、（ハ）図は左側面図。
【図５】（イ）〜（ニ）図は図１に示すユニット建物の配置図である。
【図６】本発明の別の実施例であって、ユニット建物を分解して示す斜視図。
【図７】部屋ユニットの斜視図。
【図８】屋根ユニットの斜視図である。
【図９】本発明の他の実施例であって、ユニット建物の斜視図。
【図１０】部屋ユニットと屋根ユニットとを分解した分解斜視図。
【図１１】部屋ユニットの斜視図。
【図１２】（イ）〜（ハ）図は、部屋ユニットの平面図、左側面図、正面図。
【図１３】屋根ユニットの斜視図である。
【符号の説明】
１、１Ａ、１Ｂ                        ユニット建物
２、３、４、２Ａ、３Ａ、４Ａ、２Ｂ    部屋ユニット
５、６、７                            傾斜部屋ユニット
８、９、１０、８Ａ、８Ｂ              屋根ユニット
１１、１２、１３                      屋根パネル
１４                                  入隅部
Ａ                                    上面
Ａ１、Ｂ４                            水平部
Ａ２、Ｂ５、Ｂ６                      傾斜部
２１Ｂ                                床パネル
２２Ｂ、２３Ｂ、２４Ｂ、２５Ｂ、２６Ｂ    壁パネル
Ｂ１                                  第１床部
Ｂ２                                  第２床部
Ｂ３                                  第３床部
【図１】
0004199407.tif 000002
【図２】
0004199407.tif 000003
【図３】
0004199407.tif 000004
【図４】
0004199407.tif 000005
【図５】
0004199407.tif 000006
【図６】
0004199407.tif 000007
【図７】
0004199407.tif 000008
【図８】
0004199407.tif 000009
【図９】
0004199407.tif 000010
【図１０】
0004199407.tif 000011
【図１１】
0004199407.tif 000012
【図１２】
0004199407.tif 000013
【図１３】
0004199407.tif 000014